(57)【要約】【課題】フェースプレートへの意匠上の影響が無く、乗客が乗りかご内よりフェースプレートが乗りかご側板と固定されていることが分かり、保守点検時はフェースプレートの取外し作業が簡単なエレベータ乗りかご内操作盤を提供する。【解決手段】フェースプレート１が乗りかご側板４に固設されているボックス８の側面内向きに取付いているスタッド９と、フェースプレート１裏面に取付いている取付金具１０が嵌合することによりボックス８に固定される操作盤において、操作盤直下の乗りかご側板４に取付いている、キーシリンダー５が取付けてある施錠フック６でフェースプレート１に取付いている開閉扉３を施錠、固定できる構成とした。【選択図】図２
2006312509.tif 000002
【特許請求の範囲】
【請求項１】
エレベータ乗りかごの任意の側板に設けられ、側板の裏面に固設されたボックスと、ボックスと嵌合して固定されるフェースプレートと、フェースプレートに設けられる保守点検用スイッチボックスと、保守点検用スイッチの開閉扉と、開閉扉を施錠する施錠手段とで構成される乗りかご操作盤において、施錠手段を操作盤直下の側板に設け、被施錠手段を保守点検用スイッチの開閉扉に設け、開閉扉を施錠すると同時にフェースプレートと側板が固定されることを特徴とするエレベータ乗りかご内操作盤。
【発明の詳細な説明】
【技術分野】
【０００１】
本発明は、エレベータ乗りかご内に設置されるエレベータ乗りかご内操作盤に関する。
【背景技術】
【０００２】
従来エレベータの乗りかご内操作盤のフェースプレート部分は、エレベータ乗りかごの側板裏面に固設されたボックスの側面内側に取付いているスタッドと、フェースプレート裏面に取付けられた取付金具とが嵌合して固定されている。
【０００３】
この操作盤は、エレベータの乗客による盗難被害が生じる恐れがあるため、乗客が簡単にフェースプレートを取外せないよう、フェースプレートを保守点検用スイッチの開閉扉内部で固定ネジによりボックスに固定し、さらに、フェースプレートに取付いた固定ストッパーと、ボックスに取付く開閉扉内部で可動操作することで固定ストッパーと係合、係合解除ができる可動ストッパーとで固定する操作盤が知られている（特許文献１参照）。
【特許文献１】特願平０４−８０８００号公報（段落００１７〜００２０  図２）
【発明の開示】
【発明が解決しようとする課題】
【０００４】
しかし特許文献１に示す前記従来技術では、フェースプレートの施錠手段をフェースプレート表面に設ける構成としているため、キーシリンダーがフェースプレートの意匠面に露出し、操作盤の見栄えに悪影響を与えることがあった。また、開閉扉を開けないと乗りかご内よりフェースプレートが固定されていることが確認できない為、盗難目的で無理やりボックスに固定されているフェースプレートを取外そうとし、フェースプレートや、ボックスとフェースプレートの固定部を変形させてしまう恐れがあった。保守点検時にフェースプレートを取外す際には、開閉扉を開けた後に固定ネジの取外しと稼動ストッパーの係合解除操作が必要で、作業が煩雑であった。
【０００５】
本発明は上記不具合に鑑みてなされたもので、フェースプレートへの意匠上の影響が無く、乗客が乗りかご内よりフェースプレートが乗りかご側板と固定されていることが分かり、保守点検時はフェースプレートの取外し作業が簡単なエレベータ乗りかご内操作盤を提供することになる。
【課題を解決するための手段】
【０００６】
上記目的は、エレベータ乗りかごの任意の側板に設けられ、側板の裏面に固設されたボックスと、ボックスと嵌合して固定されるフェースプレートと、フェースプレートに設けられる保守点検用スイッチボックスと、保守点検用スイッチの開閉扉と、開閉扉を施錠するキーシリンダーによる施錠手段とで構成される乗りかご操作盤において、施錠手段を操作盤直下の側板に設け、フックによる被施錠手段を保守点検用スイッチの開閉扉に設け、開閉扉を施錠すると同時にフェースプレートと側板が固定されることにより達成される。
【発明の効果】
【０００７】
本発明によれば、操作盤直下の側板に設けられたキーシリンダーにより開閉扉を施錠することができるので、フェースプレートにキーシリンダーを設ける必要が無く、フェースプレートの意匠面に影響を与えることが無い。また、操作盤直下の側板に設けられたキーシリンダーを乗りかご内より目視することができるので、フェースプレートと側板が施錠、固定されていることが分かり、乗客が無理やりカバーを取外そうとすることを心理的に防ぐことができる。保守点検作業時は施錠された開閉扉を開扉するだけでフェースプレートの取外しが可能となる。
【０００８】
前述の効果は、操作盤直下の測板に設けられたキーシリンダーと開閉扉に設けられるフックのみで実現できるので、従来の乗りかご内操作盤と部品点数が変わらず、安価に実施することが出来る。
【発明を実施するための最良の形態】
【０００９】
本発明の一実施の形態を図１〜３に基づいて説明する。
【００１０】
図１は本発明の一実施形態となるエレベータ乗りかご内操作盤の正面図、図２は図１の断面Ａ−Ａ視図、図３は保守点検スイッチの開閉扉部分の詳細図である。
【００１１】
各図において、フェースプレート１には保守点検スイッチ２を隠蔽する開閉扉３が取付けられている。開閉扉３は図３に示すように、フェースプレート１より跳ね上がるように開閉することができ、操作盤直下の乗りかご側板４に取付いているキーシリンダー５が取付けてある施錠フック６と係合する被施錠フック７が取付けられている。
【００１２】
フェースプレート１は乗りかご側板４に固設されているボックス８の側面内向きに取付いているスタッド９と、フェースプレート１裏面に取付いている取付金具１０が嵌合することによりボックス８に固定される。
【００１３】
エレベータが通常運転されている時、フェースプレート１はボックス８に前述の通り固定され、また、操作盤直下のキーシリンダー５に取付けてある施錠フック６を回転し起立させると施錠フック６と被施錠フック７が施錠状態となり、開閉扉３が施錠される。
【００１４】
前述した本発明の一実施形態では、フェースプレート１にキーシリンダー５を設ける必要が無く、フェースプレート１の意匠面に影響を与えることが無い。
【００１５】
さらに、乗りかご側板４に取付いているキーシリンダー５が、乗りかご内より目視できるので、フェースプレート１が乗りかご側板４と固定されていることが一目で分かり、心理的にフェースプレート１を無理やり取外そうとすることを防ぐことができる。
【００１６】
また、保守点検等で保守点検スイッチ２を操作する場合には、前述した施錠フック６を回転し倒伏させれば開錠状態となり、瞬時に開閉扉３を開閉することが出来る。更に保守点検等でフェースプレート１をボックス８から取外す必要が生じた際には、同様に施錠フック６を操作するだけで容易に取外しが可能となる。
【図面の簡単な説明】
【００１７】
【図１】本発明の一実施形態となるエレベータ乗りかご内操作盤の正面図である。
【図２】図１の断面Ａ−Ａ視図である。
【図３】図１の開閉扉部分を示す詳細図である。
【符号の説明】
【００１８】
１  フェースプレート
２  保守点検スイッチ
３  開閉扉
４  乗りかご側板
５  キーシリンダー
６  施錠フック
７  被施錠フック
８  ボックス
９  スタッド
１０  取付金具
【図１】
2006312509.tif 000003
【図２】
2006312509.tif 000004
【図３】
2006312509.tif 000005